(57)【要約】      （修正有）【課題】襟口が大きく開いた肌着においても、特定の編組織で編成した肌着に編成することにより、保温効果のあり、ファッション性のる婦人用肌着を提供する。【解決手段】襟口が大きく開口されている婦人用肌着１において、上胸部から襟口、肩部から背面上部及び袖上腕部にかけて前記婦人用肌着１の裏面に部分的に嵩高編組織を編成した婦人用肌着１である。また、前記部分的な嵩高編組織は、複合メッシュ組織、シンカーパイル組織、又は疑似パイル組織からなり、さらに、使用する糸は、ナイロン糸、綿糸、マルチナイロン糸、再生セルロース繊維とアクリル繊維又はアクリル繊維とナイロン繊維からなる吸湿発熱性糸からなる。【選択図】図１
2015137441.tif 000002
【特許請求の範囲】
【請求項１】
襟口が大きく開口されている婦人用肌着において、上胸部から襟口、肩部から背面上部及び袖上腕部にかけて前記婦人用肌着の裏面に部分的に嵩高編組織を編成し
【請求項２】
前記部分的に嵩高編組織は、複合メッシュ組織、シンカーパイル組織、又は疑似パイル組織からなる請求項１記載の婦人用肌着。
【請求項３】
前記部分的に嵩高編組織に使用する糸は、ナイロン糸、綿糸、マルチナイロン糸、再生セルロース繊維とアクリル繊維又はアクリル繊維とナイロン繊維からなる吸湿発熱性糸からなる請求項１又は請求項２記載の婦人用肌着。
【請求項４】
前記部分的に嵩高編組織に使用する糸素材は、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編又はプレーティング編成した請求項１ないし請求項３のいずれかに記載の婦人用肌着。
【請求項５】
前記部分的に嵩高編組織に使用する糸素材は、６０番手のクリル繊維とナイロン繊維からなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編、又はプレーティング編成した請求項１ないし請求項３のいずれかに記載の婦人用肌着。
【請求項６】
前記部分的に嵩高編組織に使用する糸素材は、５２〜８０番手の再生セルロース繊維とアクリル繊維とからなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸との交編、又はプレーティング編成した請求項１ないし請求項３のいずれかに記載の婦人用肌着。
【発明の詳細な説明】
【技術分野】
【０００１】
本発明は、インナーウエアその他の各種の肌着に使用した場合に内部が暖かな効果を生じさせることができる隆起凸部を有する婦人用肌着に関するものである。
【背景技術】
【０００２】
一般に、婦人用肌着は襟口が大きく開いているため、冬場に襟口部分からのに放熱によって保温性が著しく損なわれる。そこで、冬季又は冷寒地において、女性用衣類の保温対策として、重ね着をするか、肌着の保温すべき位置にポケットを設けてそこに保温剤を装着するか、あるいは厚手の外衣を着用するなどの対策が行われていたが、これらの手段は外観が分厚く見え、ファッション性の観点から受け入れがたい。
【特許文献１】特開平８−１９９４０１号公報
【特許文献２】特開平９−１７６９０１号公報
【特許文献３】特開２００２−３２７３０１号公報
【０００３】
上記文献に記載されたものは、衣服の寒く冷える部を分外部から温めるという着想のもとに考案されたものである。
近年、婦人用肌着は、ファッション性の観点から襟口が大きく開いた肌着が流行となってきている。襟回りが大きい肌着は、肌着と皮膚との間にためられた空気は上昇して襟口から外部に排出されるので、冬場において保温性が悪く、寒さ対策に欠けるきらいがある。
【発明の開示】
【発明が解決しようとする課題】
【０００４】
本発明は、前記の問題を解決するためになしたものであり、人体の体温によって温められたり、機能繊維の発熱作用によって温められた空気を外部に逃がさないように工夫したものであり、襟口からの極端な熱の放出を防止することによって、比較的薄手の肌着を着用している場合においても着用した際に、暖かく感じるとともに、繊維素材の特性によって適度な湿度を保持することによって、上記肌着を着用している人がより快適に感じる肌着を提供するものである。特に、襟口が大きく開いた肌着においても、特定の編組織で編成した肌着に編成することにより、保温効果のあり、ファッション性のる婦人用肌着を提供することができるものである。
【課題を解決するための手段】
【０００５】
本発明は、前記の課題を解決するために、襟口が大きく開口されている婦人用肌着において、上胸部から襟口、肩部から背面上部及び袖上腕部にかけて前記婦人用肌着の裏面に部分的に嵩高編組織を編成した婦人用肌着を構成するものである。
【０００６】
前記前記部分的に嵩高か編組織は、複合メッシュ組織、疑似パイル組織又はシンカーパイル組織からなることが望ましい。
【０００７】
前記部分的に嵩高編組織に使用する糸は、ナイロン糸、綿糸、梳毛糸、マルチナイロン糸、再生セルロース繊維とアクリル繊維又はアクリル繊維とナイロン繊維からなる吸湿発熱性糸からなることが望ましい。
【０００８】
前記部分的に嵩高編組織に使用する糸素材は、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編又はプレーティング編成したものが望ましい。
【０００９】
前記部分的に嵩高編組織に使用する糸素材は、６０番手のクリル繊維とナイロン繊維からなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編、又はプレーティング編成したものが望ましい。
【００１０】
前記部分的に嵩高編組織に使用する糸素材は、５２〜８０番手の再生セルロース繊維とアクリル繊維とからなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸との交編、又はプレーティング編成したものが望ましい。
【発明の効果】
【００１１】
上記したように、本発明の婦人用肌着によれば、人体の体温によって温められたり、機能繊維の発熱作用によって温められた空気を外部に逃がさないように工夫したので、襟口からの極端な熱の放出を防止することによって、比較的薄手の肌着を着用している場合においても着用した際に、暖かく感じるとともに、繊維素材の特性によって適度な湿度を保持することによって、上記肌着を着用している人がより快適に感じるものである。特に、襟口が大きく開いた肌着においても、特定の編組織で編成した肌着に編成することにより、保温効果のあり、ファッション性のる婦人用肌着を提供することができる。
【発明を実施するための最良の形態】
【００１２】
次に本発明の実施の形態を図面に示す実施例を参照して説明する。
【００１３】
図１は、本発明にかかる婦人用肌着の外観を示す略示正面図、図２は、本発明にかかる婦人用肌着の外観を示す略示背面図、図３は複合メッシュ編組織による婦人用肌着の部分組織図、図４は疑似パイル編組織による婦人用肌着の部分組織図、図５はシンカーパイル編組織による婦人用肌着の部分組織図である。
【００１４】
図１．２において、１は本発明にかかる婦人用肌着であり、主として筒状に編成され、前身頃襟回り４，後見頃襟回り５及び前身頃襟回り４，後見頃襟回り５に隣接した袖上部６は、前記婦人用肌着の裏面に部分的に嵩高編組織を編成し、必要な場合は、編成後に袖部２を本体部３と裁断や縫製等で接合が行われ、図１、図２のような婦人用肌着類が構成される。
【００１５】
本発明の婦人用肌着１は、丸編機による伸縮性を有する編地であり、図３に示すように、ベースとなる平編組織の中で、１コース目ａで平編目ウとタック編目を交互に編成し、２コース目ｂで平編目ウとタック編目を１ウエールずらして編成し、これを繰り返し、複合メッシュ編組織が編成される。
【００１６】
婦人用肌着に使用する糸は、ナイロン糸、綿糸、マルチナイロン糸、再生セルロース繊維とアクリル繊維又はアクリル繊維とナイロン繊維からなる吸湿発熱性糸からなる。特に、糸素材が、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸７と、１１〜１５５デシテックスのナイロン双糸又は１００〜４０番手の綿糸８との交編又はプレーティング編成したものにおいては、ウエールＡ，Ｃ，Ｅで収縮がおこなわれ、編地に細かな凹凸が形成され、部分的に嵩高編組織に形成され、空気をためる機能を生じる。
【００１７】
前記糸素材は、５２〜８０番手の再生セルロース繊維とアクリル繊維とからなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸との交編、又はプレーティング編成したものであってもよい。
【００１８】
図４に示すものは、疑似パイル編組織を表し、婦人用肌着に使用する糸は、ナイロン糸、綿糸、マルチナイロン糸、再生セルロース繊維とアクリル繊維又はアクリル繊維とナイロン繊維からなる吸湿発熱性糸９からなる。特に、糸素材が、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸１０と、１１〜１５５デシテックスのナイロン双糸又は１００〜４０番手の綿糸との交編又はプレーティング編成したものにおいては、ウエールＡ，Ｃ，Ｅ，Ｇのいて、収縮がおこなわれるとともに、コースａ，ｃ，ｅ，ｇにおいてＳＣＹ又はＤＣＹの編糸を使用した場合、編地に凹凸が形成され、部分的に嵩高編組織に形成され、空気をためる機能を高める。特には連続フロート編１０が１ウエール以上の適宜の間隔、好ましくは数ウエール〜数十ウエールの間隔をおいて並んだ組織による編地裏面側への隆起凸部２が、縦横に所要の間隔をおいて平編コースが収縮してパイルループが裏面に形成され、個々に独立した隆起形状をなして多数形成されており、部分的に嵩高編組織に形成され、空気をためる機能を生じる。
【００１９】
図４に示すものは、例えば、ベースとなる平編組織の中で、ウエールＢ，Ｃ，Ｄ、コースｃ，ｄにおいて疑似パイル編が編成される疑似パイル編組織が形成されている。ａコースでＢウエールのニット目とＤウエールのタック目を交互に編み、ｂコースでニット目だけで編成する。
【００２０】
前記糸素材は、５２〜８０番手の再生セルロース繊維とアクリル繊維とからなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸との交編、又はプレーティング編成したものであってもよい。
【００２１】
図５に示すものは、例えば、ベースとなる平編組織の中で、平編糸１１においてシンカーパイル１２が裏編地に形成される。シンカーパイル１６はシンカーパイル編機で編成され、５２〜８０番手の再生セルロース繊維とアクリル繊維とからなる吸湿発熱性糸ナイロン糸、綿糸、マルチナイロン糸、再生セルロース繊維とアクリル繊維又はアクリル繊維とナイロン繊維からなる吸湿発熱性糸からなる。平編組織の部分は１１〜１５５デシテックスのポリウレタン弾性糸に１１〜１５５デシテックスのフィラメント糸又はウーリーナイロンフィラメント糸をカバリングしたＳＣＹ又はＤＣＹの編糸から編成される。
【００２２】
平編組織の編糸１１は、ＳＣＹ又はＤＣＹの編糸から編成され、裏糸のシンカーパイル１２が大きく裏面に隆起して部分的に嵩高編組織に形成され、空気をためる機能を高める。シンカーパイルの編組織はプレーティングの平編みであってもよい。このようにして、部分的に嵩高編組織に形成され、空気をためる機能を高める。
【００２３】
前記部分的に嵩高編組織に使用する糸素材は、６０番手のクリル繊維とナイロン繊維からなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編、又はプレーティング編成したものであってもよい。
【００２４】
なお、上記した実施例では、丸編編成による場合について説明したが、本発明は、編成組織構成が丸編と同じ横編においても適用できることは言うまでもない。
【産業上の利用可能性】
【００２５】
本発明は婦人用肌着のみならず、ボディースーツその他の身体にフィットさせた状態で着用するインナーウエアその他の丸編あるいは横編により編成される衣類に利用できる。
【図面の簡単な説明】
【００２６】
【図１】本発明にかかる婦人用肌着の外観を示す略示正面図である。
【図２】本発明にかかる婦人用肌着の外観を示す略示背面図である。
【図３】複合メッシュ編組織による婦人用肌着の部分組織図である。
【図４】疑似パイルメッシュ編組織による婦人用肌着の部分組織図である。
【図５】シンカーパイル編組織による婦人用肌着の部分組織図である。
【符号の説明】
【００２７】
１    婦人用肌着
２    袖部
３  本体部
４    前見頃襟回り
５    後見頃襟回り
６    袖上部
７    ＳＣＹ又はＤＣＹ糸
８    綿糸
９  吸湿発熱性糸
１０    ＳＣＹ又はＤＣＹ糸編糸
１１  平編糸
１２  シンカーパイル
Ａ，Ｂ，Ｃ，Ｄ，Ｅ，Ｆ，Ｇ      ウエール部
ａ，ｂ，ｃ，ｄ，ｅ，ｆ，ｇ          コース部
【図１】
2015137441.tif 000003
【図２】
2015137441.tif 000004
【図３】
2015137441.tif 000005
【図４】
2015137441.tif 000006
【図５】
2015137441.tif 000007
【手続補正書】
【提出日】平成27年4月28日(2015.4.28)
【手続補正１】
【補正対象書類名】特許請求の範囲
【補正対象項目名】請求項１
【補正方法】変更
【補正の内容】
【請求項１】
襟口が大きく開口されている婦人用肌着において、上胸部から襟口、肩部から背面上部及び袖上腕部にかけて前記婦人用肌着の裏面に部分的に嵩高編組織を編成したことを特徴とする婦人用肌着。
【手続補正２】
【補正対象書類名】明細書
【補正対象項目名】０００２
【補正方法】変更
【補正の内容】
【０００２】
一般に、婦人用肌着は襟口が大きく開いているため、冬場に襟口部分からの放熱によって保温性が著しく損なわれる。そこで、冬季又は冷寒地において、女性用衣類の保温対策として、重ね着をするか、肌着の保温すべき位置にポケットを設けてそこに保温剤を装着するか、あるいは厚手の外衣を着用するなどの対策が行われていたが、これらの手段は外観が分厚く見え、ファッション性の観点から受け入れがたい。
【特許文献１】特開平８−１９９４０１号公報
【特許文献２】特開平９−１７６９０１号公報
【特許文献３】特開２００２−３２７３０１号公報
【手続補正３】
【補正対象書類名】明細書
【補正対象項目名】０００４
【補正方法】変更
【補正の内容】
【０００４】
本発明は、前記の問題を解決するためになしたものであり、人体の体温によって温められたり、機能繊維の発熱作用によって温められた空気を外部に逃がさないように工夫したものであり、襟口からの極端な熱の放出を防止することによって、比較的薄手の肌着を着用している場合においても着用した際に、暖かく感じるとともに、繊維素材の特性によって適度な湿度を保持することによって、上記肌着を着用している人がより快適に感じる肌着を提供するものである。特に、襟口が大きく開いた肌着においても、特定の編組織で編成した肌着に編成することにより、保温効果があり、ファッション性のある婦人用肌着を提供することができるものである。
【手続補正４】
【補正対象書類名】明細書
【補正対象項目名】０００６
【補正方法】変更
【補正の内容】
【０００６】
前記前記部分的に嵩高編組織は、複合メッシュ組織、疑似パイル組織又はシンカーパイル組織からなることが望ましい。
【手続補正５】
【補正対象書類名】明細書
【補正対象項目名】０００９
【補正方法】変更
【補正の内容】
【０００９】
前記部分的に嵩高編組織に使用する糸素材は、６０番手のアクリル繊維とナイロン繊維からなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編、又はプレーティング編成したものが望ましい。
【手続補正６】
【補正対象書類名】明細書
【補正対象項目名】００１５
【補正方法】変更
【補正の内容】
【００１５】
本発明の婦人用肌着１は、丸編機による伸縮性を有する編地であり、図３に示すように、ベースとなる平編組織の中で、１コース目ａで平編目とタック編目を交互に編成し、２コース目ｂで平編目とタック編目を１ウエールずらして編成し、これを繰り返し、複合メッシュ編組織が編成される。
【手続補正７】
【補正対象書類名】明細書
【補正対象項目名】００２３
【補正方法】変更
【補正の内容】
【００２３】
前記部分的に嵩高編組織に使用する糸素材は、６０番手のアクリル繊維とナイロン繊維からなる吸湿発熱性糸と、１１〜１５５デシテックスのポリウレタン弾性糸に１１〜１５５デシテックスのナイロンフィラメント糸又はウーリーナイロンフィラメント糸をカバリングしたＳＣＹ又はＤＣＹの編糸と、１１〜１５５デシテックスのナイロン双糸又は１００〜４０番手の綿糸との交編、又はプレーティング編成したものであってもよい。